(57)【要約】【課題】  コストを節約でき、簡便な種苗培養用密封缶を提供する。【解決手段】  一つの中空にした納め空間がある密封缶であり、密封缶本体５の上部に開けられる蓋５０が設けてあり、密封缶本体５の納め空間の適当な個所に一つの中空柱６が設けてある。中空柱６の内部が通気室６０になり、通気室６０内の端部に閉合パーツ７が設けてある。閉合パーツ７も中空の通気柱７１になり、中空の通気柱７１にまた通気孔７２が設けてある。閉合パーツ７にある中空の通気柱７１の上部に、キャップ７０が設けてある。通気室６０及び通気孔７２によって種苗Ｂに必要な酸素を提供できるため、視覚的美観を持つ種苗Ｂの育苗ができる。密封缶本体５の蓋５０を開けて種苗Ｂを伸びさせることができるため、移植する必要もない。【選択図】    図３
0003107934.tif 000002
【実用新案登録請求の範囲】
【請求項１】
一つの中空にした納め空間がある密封缶であり、密封缶の本体の上部に開放可能な蓋が設けてあり、密封缶本体の納め空間の適当な個所に一つの中空柱が設けてあり、中空柱の内部が通気室になり、通気室内の端部に閉合パーツが設けてあり、閉合パーツは中空の通気柱になり中空の通気柱にまた通気孔が設けられていることを特徴とする種苗培養用密封缶。
【請求項２】
前記閉合パーツにある中空の通気柱の上部に、キャップが設けてあることを特徴とする種苗培養用密封缶。
【考案の詳細な説明】
【技術分野】
【０００１】
本考案は、種苗培養用密封缶に関する。特に、密封缶本体の納め空間内にある中空にした柱体の通気室によって種苗に必要な酸素を提供できるため、該種苗培養用密封缶で育苗する時に他の容器に移植する必要がなくなるものを指す。
【背景技術】
【０００２】
よって、目下のような暮らしの変化が多く、テンポも速い現代社会では、仕事からのストレスによる緊張感を緩和するために、人々は皆一つまたはそれ以上の多様性のある施設またはレジャー活動をもってストレスを解消しなければならなくなっている。そして、多くのレジャー活動の中では、花の培養及び育苗のような園芸が多数の人々に受け入れられるレジャー活動の一つになってきている。それによって、職場で積み重ねたプレッシャーが解消できるし、また、草花の成長過程を観察する楽しみも得られる。ここにて、只従来知られた一種の花卉培養用密封缶をもって一つの実施例を列挙して、更に図面に合わせながら次のように説明する。
【０００３】
図１を参考に説明する。図１は、従来知られた種苗培養用密封缶の全体の外観構造の立体正面を断面で示したイメージ図である。種苗培養用密封缶１の天辺において該種苗培養用密封缶１を開けることのできる瓶の口１１が設けてあり、該瓶の口１１の上にキャップ２が設けてあり、且つキャップ２の中間の個所に一つの空気室の通過口２１が設けてあり、更に空気室の通過口２１の内部にろ過媒質３（例、滅菌できる疫菌剤液が加わった綿）を設けることができ、また、該種苗培養用密封缶１の内部は中空にした納め空間になり、該中空の納め空間の中に予め効果が長持ちでゆっくり放出していく肥料である培養液土Ａ及び培養したい種苗Ｂを設けておき、それによって、上述のパーツで大量に培養できるような従来知られた一種の種苗培養用密封缶１になるのである。
【０００４】
図２を参考に説明する。図２は、もう一つの従来知られた種苗培養用密封缶の全体の外観構造の立体正面を断面で示したイメージ図である。該種苗培養用密封缶４の内部は中空の納め空間になり、種苗培養用密封缶４の天辺において開けられるキャップ４１が設けてあり、消費者がこのような種苗培養用密封缶４を購入して育苗しようとする時、まず、種苗培養用密封缶４の天辺にあるキャップ４１を開けて、それから、予め従来知られた種苗培養用密封缶１内にある効果が長持ちでゆっくり放出していく肥料である培養液土Ａ及び培養したい種苗Ｂを移動してそこに移植すると、簡単に観賞したい種苗培養用密封缶４で培養できるのである。
【０００５】
しかしながら、上記のような効果が長持ちでゆっくり放出していく肥料である培養液土Ａ及び培養したい種苗Ｂを従来知られた１の種苗培養用密封缶１の本体にある中空の納め空間内に植えておいてから、また、従来知られた２の種苗培養用密封缶４に移植するのは、実施動作の過程において著しく培養コストの増加及び移植培養の過程が煩わしい欠点があるようになる。
【考案の開示】
【考案が解決しようとする課題】
【０００６】
現に、本考案人は、従来知られた種苗培養用密封缶１及び種苗培養用密封缶４には実施の上で確かに欠点があることを見て、よりコストが節約できる種苗密封缶５を作り出すと同時にユニークで新しく簡便な種苗培養用密封缶５を生産するために、長年来花卉培養用密封缶５の製造に従事してきた経験を以って、より立派にする根気及び全力を挙げた努力によって研究を積重ねて本考案の種苗培養用密封缶５における最も優れた構造の改良を作り出したのである。
そこで、本考案は、種苗培養用密封缶の改良構造を提供することにある。
【課題を解決するための手段】
【０００７】
本考案の請求項１に記載したような種苗培養用密封缶は、一つの中空にした納め空間がある密封缶であり、密封缶の本体の上部に開けられる蓋が設けてある。主な特徴とは、密封缶本体の納め空間の適当な個所に一つの中空柱が設けてあり、中空柱の内部が通気室になり、通気室内の端部に閉合パーツが設けてあり、閉合パーツも中空の通気柱になり、中空の通気柱にまた通気孔が設けてあり、閉合パーツの中空の通気柱の上部にキャップが設けてあり、キャップの用途とは、培養液土を注入する度、それを遮るためのものである。
【考案を実施するための最良の形態】
【０００８】
本考案において、上記のような目的を達成するに取られた技術手段及びその効果については、一つより実行可能で且つ優れた実施例を以って図面及び符号の説明に合わせて詳しく次のように説明する。
【０００９】
図３、図４及び図５を参考にする。その中において、本考案の一実施例による種苗培養用密封缶について、これは、一つの中空にした納め空間がある密封缶５であり、密封缶本体５の上部に更に一つの開けられる蓋５０が設けてある。その主な特徴とは、該密封缶本体５の納め空間の適当な個所に一つの中空柱６が設けてあり、中空柱６の内部が通気室６０になり、通気室６０の内部の下部にろ過媒質８（例、滅菌できる疫菌剤液が加わった綿）が設けてあり、また、通気室６０内の端部に閉合パーツ７が一つ設けてあり、閉合パーツ７も中空の通気柱７１になり、且つ該中空の通気柱７１に他にキャップ７０及び通気孔７２が設けてあり、上述の中空柱６の内部にある通気室６０及び閉合パーツ７にある中空の通気柱７１の通気孔７２によって該種苗Ｂに必要な酸素を提供できるため、視覚的美観を持つ種苗Ｂの育苗ができる。
【００１０】
図６を参考に説明する。その中において、種苗培養用密封缶の構造改良について、それは、一つの中空にした納め空間のある密封缶５であり、密封缶本体５の上部に更に一つの開けられる蓋５０が設けてある。その主な特徴とは、該密封缶本体５の納め空間の適当な個所に一つの中空柱６が設けてあり、中空柱６の内部が通気室６０になり、通気室６０内の端部に閉合パーツ７が一つ設けてあり、閉合パーツ７も中空の通気柱７１になり、且つ該中空の通気柱７１に他にキャップ７０及び通気孔７２が設けてあり、該種苗Ｂが該種苗培養用密封缶５より高く成長していく時、培養者は該密封缶本体５の蓋５０を開けて種苗Ｂをそれ以上伸びさせることができるため、もう再び移植する必要もないし、また、育苗コストも低下できるものである。
【００１１】
以上を纏めて考えたら、以上に説明したように、本考案は種苗培養用密封缶の製造業界において従来なかった斬新なものであるだけでなく、また、本考案における特徴である構造改良によって一層充分にユニーク、斬新、移植不要及びコスト低減の主な機能が発揮できるため、独創性のある美麗形態が派生できるものになる。
【００１２】
唯、上述したものは本考案の一つのよりよい実施例に過ぎないものであるために、それを以って本考案の実施範囲を限定することはできないものである。凡そ本考案の実用新案請求範囲によった均等な変化と修飾は、皆本考案の実用新案範囲に属すべきものである。
【図面の簡単な説明】
【００１３】
【図１】従来の種苗培養用密封缶を示す断面図である。
【図２】他の従来の種苗培養用密封缶を示す断面図である。
【図３】本考案の一実施例による種苗培養用密封缶を示す断面図である。
【図４】本考案の一実施例による種苗培養用密封缶の中空柱及び閉合パーツを示す斜視図である。
【図５】本考案の一実施例による種苗培養用密封缶の中空柱及び閉合パーツを示す断面図である。
【図６】本考案の一実施例による種苗培養用密封缶の蓋を開けた状態及び育苗した種苗を示す断面図である。
【符号の説明】
【００１４】
５  密封缶本体、６  中空柱、７  閉合パーツ、８  ろ過媒質（綿）、５０  蓋、６０  通気室、７０  キャップ、７１  中空の通気柱、７２  通気孔、Ａ  培養液土、Ｂ  種苗
【図１】
0003107934.tif 000003
【図２】
0003107934.tif 000004
【図３】
0003107934.tif 000005
【図４】
0003107934.tif 000006
【図５】
0003107934.tif 000007
【図６】
0003107934.tif 000008